(57)【要約】      （修正有）【課題】携帯用の水筒であって、入れられた水道水の水質を改善する機能を具備した水筒を提供する。【解決手段】水筒容器の外面全体を遠赤外線を放出する物質にて包覆し、放射線にて内部の水道水を改質させると共に放射物質の外面全体に断熱を兼ねた保護膜を設けてなるものを提供する。【選択図】図１
0003121786.tif 000002
【実用新案登録請求の範囲】
【請求項１】
上端に出入口を設けた飲用水入れ容器本体の外面に、遠赤外線を放射する改質基体を設けたことを特徴とする浄水器。
【請求項２】
請求項１記載の浄水器において、改質基体の外面全体を反射材にて包覆し、その外面全体を断熱体にて包覆してなることを特徴とする浄水器。
【請求項３】
請求項２記載の浄水器において、断熱材の外面全体を防護財にて包覆してなることを特徴とする浄水器。
【考案の詳細な説明】
【技術分野】
【０００１】  本考案は、浄水器として、特に簡易的に少量の飲用水を、良好に改質する方法と、その浄水器に関するものである。
【背景技術】
【０００２】  現今の水道水には、消毒用として多量の塩素が混入されており、このため塩素臭を発生し不快な水になっている、又この塩素は、有機物と化合してトリハロメタンと言う発癌性物質を発生させる、これらのもの及び不純物等を取り除くために、活性炭或いは中空糸膜、天然石等を利用した家庭用浄水器が、最近広く普及している。
近年は、おいしい水、味のよい水を要求する声が特にたかまったために、従来の浄水器に電気分解方式を付加したものが整水器の名称にて最近急激に一般家庭に普及している。
浄水器及び整水器は、家庭用と業務用に分別されて居り、家庭用は蛇口に接続される方式のものが主流になっている、これらのものは家屋内に取り付けられる固定方式であって、携帯方式の小形軽便なものは、まだ実現されていない。
【特許文献】類似文献なし。
【考案の開示】
【考案が解決しようとする課題】
【０００３】  水道水に添加された塩素は消毒用として必要なものであるが、人間の口に入る時点では、塩素は不要なものとして取り除くのが好ましい、この要求を満たすため、色々な浄水器及び整水器が研究され製作されて居り、一応ながら業務用、家庭用共に満足し得るものが提供されている。
しかし屋外にて飲用する場合、即ち屋外作業時、外出時等に携帯して使用する水筒型式の軽便な飲用具であって、水質を不変に保持し、更に水質を一層良好に改質できるものが切望されている。
従来の家庭用整水器は、一般の電力を使用しているが、携帯用の整水器は無電力にて効果あるものが要求される、そして耐用年数のなるべく長いもの且つ故障をしない構成であること等が要件になる。
【課題を解決するための手段】
【０００４】  本考案は上記問題点を解決するためになされたもので、次の手段にて構成されている、従来の浄水器及び整水器は、水を浄化、改質する要素が容器の内部に収納されている、このため使用期間が長くなると要素が目詰まりして、機能が低下する、このような状態を継続させると、水質を悪化させる器具になる、これを防止するためには、適切に要素を取換えねばならない。【０００５】  本考案は、従来の欠点を改善するため、水を改質する放射機能を持つ物質を、水容器の外面に設ける事により、要素と水を接触させない方式になっている、これにて要素は永久に汚損も目詰まりもなく取換えの手数も解消できる。
本考案は間接方式であるため、従来方式に比較して水を改質するに時間を要する、このため、家庭の炊事用、事業用には不適であるが、屋外にて使用する携帯用水筒としては好適である。
携帯用水筒の場合は、上部に水の出入口を設けた容器の胴部外周に要素を設ける構成にする。【０００６】  容器本体の外面に設けられた改質基体の外面全体を、  遠赤外線を反射する反射体にて包覆すれば遠赤外線が外部に漏れず浄水の効果を増大させることができ、又改質基体の損傷を防止する効果も発生する。
上記の反射体の外面全体を断熱材にて包覆すれば容器本体内の水を保冷、保温することができ、使用価値を増大させる事ができる、このものを更に堅固な金属材或いは合成樹脂材で作られた保護ケースに収納すると、美観の向上と共に本体の損傷防止もできる。
【考案の効果】
【０００７】  従来の浄水器及び整水器は、水を清浄にする要素の中を水が通過していた、そのため目詰りがあり、ある期間にて要素の取換えが必要であった、本発明によれば、水容器の外部より要素にて間接的に水を改質するため、要素の目詰りが全く発生しない、このため取換えの手数と出費が解消される。
従来の水筒は、水を一時保管するのみのものであったが、本発明を利用した水筒に水道水を入れると、カルキ臭を取り除き、水が良質に改質され、故障も絶無で安価、簡単に製造ができる利点がある。
【考案を実施するための最良の形態】
【０００８】  ペットボトル形状又は従来の水筒形状の容器の外面全体に、放射線を出す自然石の粉末を塗料にて付着させる、この方法が一番簡単な実施方法である。
遠赤外線を放射している自然石は多種類あり、このものが効果性あるため、その中から適当なものを選び使用する、
塗料にて塗り付けるのが手軽であるが、容器の外面に放射性物質が密着するならば、どのような方法にても実施可能な事は勿論である。
【実施例１】
【０００９】  以下に本考案を図面に基づき詳細に説明する、第１図は本考案の水の改質方法及びその浄水器の一部切截正面図であって、１は水を入れる容器本体であって、ペットボトル形状にても又従来の水筒形状にても、形状は効果、性能に影響しないため、どのような形状のものにてもよい事は勿論である。
容器本体１の材質は、ガラス及び合成樹脂が放射線をよく通すので好ましい、実際上にて使用するには軽量で破損せず、安価と言う点を考慮するとポリエチレンの透明のものが最も好ましい材質と言える。
２は容器本体１の中に水を入れる場合の出入口であって、容器本体１の上部に設けられている、３は出入口２を閉鎖するためのキヤップである。【００１０】  ４は容器本体１の外面の全体に塗り付けられた改質基体である、この改質基体４は遠赤外線を放出している自然石の粉末を塗料にて容器本体１の外面に塗り固めたものである、
又布状のものに、この自然石粉末を付着させたものにて、容器本体１を包覆してもよく容器本体１の外面全体より遠赤外線が容器内部に放射すればよいのである。
自然石より放射したる遠赤外線は、水道水に添加されたる塩素の臭みを解消させる作用があるため、カルキ臭を消し、かび臭も消し水の味を良くする効果がある、遠赤外線は更に水道水を活性化させ作用がありため水の味をよくする。
遠赤外線を放射する自然石は多数あり特に石炭系の石が放射性がよく効果が大きい、自然石は永久的に放射を継続するため、経済的である。
本考案は、放射基体４が水と接触しないため、従来の浄水器のようにカートリッジの取換えの手数、費用を要しない。【００１１】  図２は本考案の水の改質方法及びその浄水器の一部切截正面図にして、容器本体１の外面に設けられたる改質基体４より放射される遠赤外線を、外部に放射させないため、反射体５Ａにて改質基体４の外面全体を包覆すれば遠赤外線は容器本体１内に集中し浄化効率を向上させることができる，反射体５Ａの素材としては、アルミフイルム、金属箔等が使用される。【００１２】  容器本体１内の水の温度を一定に保つ事が水の味を良くするため、反射体５Ａの外面全体を断熱材５にて包覆する、この断熱材５の素材としては、天然綿、化学繊維綿、羽毛等が使用される。【００１３】  図３は本考案の水の改質方法及びその浄水器の一部切截正面図にして、上記においた説明したように、断熱材５が最終の包覆になっており、この断熱材５は損傷しやすいため防護材６にて包覆する。
防棋材６の素材としては、プラスチック成型、金属プレス成型等を使用すれば堅牢にして美観的なものになり好適である。
本考案は簡単な構成であるため製作も容易であり安価にでき故障も発生しない、本発明は通常の浄水器と目的が違い、携帯用である、そのため迅速に浄化させるものでなく、少量の水道水を改質して美味なる水にするものである。
本考案は、このような実施例に何等限定されるものでなく本考案の要旨を逸脱しない範囲において種々なる態様で実施し得るは勿論である。
【産業上の利用の可能性】
【００１４】  本考案は、あらゆる水容器に利用して効果を発揮するため、利用分野は広大なものと期待される、また水のみに限定されず種々なる物質の改質にも利用が見込まれる。
【図面の簡単な説明】
【００１５】
【図１】  本考案の、水の改質方法及びその浄水器の一部切截正面図である。
【図２】  本考案の、水の改質方法及びその浄水器の一部切截正面図である。
【図３】  本考案の、水の改質方法及びその浄水器の一部切截正面図である。
【符号の説明】
【００１６】  １  容器本体
２  出入口
３  キャップ
４  改質基体
５  断熱材
５Ａ  反射体
６  防護材
【図１】
0003121786.tif 000003
【図２】
0003121786.tif 000004
【図３】
0003121786.tif 000005